【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
内面にメッシュ状布帛が取り付けられた上衣及び／又はズボンからなる通気性ウエアであって、該上衣の袖口が内部袖と外部袖の二重構造で、該外部袖の袖口内に、端部を外側に折り返した内部袖が挿入され、該内部袖の折返し部と外部袖の袖口を連結手段で連結して、該外部袖と内部袖の折返し部との間に第一の通気口、該外部袖の袖口と内部袖との間に第二の通気口を設けるとともに、該外部袖の袖口と該内部袖と外部袖の重ね合わせ部で、かつ該折返し部よりも下方となる位置の内部袖を接続手段で接続して、外部袖の捲き上りを防止するよう構成したことを特徴とする通気性ウエア。
【請求項２】
内面にメッシュ状布帛が取り付けられた上衣及び／又はズボンからなる通気性ウエアであって、該ズボンのベルト芯の縫い付け部とズボン上部との間がメッシュ状布帛で連結され、かつ該ベルト芯の縫い付け部とズボン上部を複数の布帛で連結してメッシュ布帛を補強するよう構成したことを特徴とする通気性ウエア。
【請求項３】
上下に連結された少なくとも二枚の布片からなる通性性布片であって、該上下に連結された布片の上段布片と下段布片とで重ね合せ部を設け、該下段布片の上端部を外側に折り返して堰を形成し、該折り返し部と上段布片の端部を連結手段で連結して、該折り返し部と上段布片との間に第１の通気口、該上段布片の端部と下段布片との間に第２の通気口を設けるとともに、該上段布片の端部と、該重ね合せ部の該折返し部よりも下方となる位置の下段布片を接続手段で接続して上段布片の捲き上りを防止するよう構成したことを特徴とする通気性布片。
【手続補正２】
【補正対象書類名】明細書
【補正対象項目名】発明の名称
【補正方法】変更
【補正の内容】
【発明の名称】通気性ウエア及び通気性布片
【手続補正３】
【補正対象書類名】明細書
【補正対象項目名】０００１
【補正方法】変更
【補正の内容】
【０００１】本発明は、レインコート、ヤッケ、アノラック、ウインドブレーカーなどの通気性ウエア及び通気性布片に関するものである。本発明の通気性ウエアは、進行方向からの向かい風を袖口や裾口から取り込んで、ウエア内部に蓄積する体熱と湿気を外部に効率よく放散し、しかも風雨が強い時でも袖口や裾口からの雨滴の浸を防止できるため、防水加工されて生地自体の通気性が乏しく内部に体熱と湿気が蓄積しやすい防水性のレインウエアなどに好適である。また、本発明の通気性布片は通気性ウエアやアウトドア用品、例えばテント等の生地に好ましく使用される。
【手続補正４】
【補正対象書類名】明細書
【補正対象項目名】０００３
【補正方法】削除
【補正の内容】
【手続補正５】
【補正対象書類名】明細書
【補正対象項目名】０００５
【補正方法】変更
【補正の内容】
【０００５】本発明の目的は、通気性ウエア、特にウエアの上衣の袖口又はズボンの裾口の通気性を確保してウエア内部に蓄積する耐熱と湿気を外部に放散し、しかも雨水の侵入しない袖口又は裾口構造を有する通気性ウエアを提供することである。
本発明の他の目的は、通気性ウエア等に使用される通気性布片を提供することである。
本発明者らは上記目的を達成するため鋭意検討した結果、本発明に到達したものである。
【手続補正６】
【補正対象書類名】明細書
【補正対象項目名】０００６
【補正方法】変更
【補正の内容】
【０００６】すなわち、本発明は、
（１）内面にメッシュ状布帛が取り付けられた上衣及び／又はズボンからなる通気性ウエアであって、該上衣の袖口が内部袖と外部袖の二重構造で、該外部袖の袖口内に、端部を外側に折り返した内部袖が挿入され、該内部袖の折返し部と外部袖の袖口を連結手段で連結して、該外部袖と内部袖の折返し部との間に第一の通気口、該外部袖の袖口と内部袖との間に第二の通気口を設けるとともに、該外部袖の袖口と該内部袖と外部袖の重ね合わせ部で、かつ該折返し部よりも下方となる位置の内部袖を接続手段で接続して、外部袖の捲き上りを防止するよう構成したことを特徴とする通気性ウエアである。
（２）内面にメッシュ状布帛が取り付けられた上衣及び／又はズボンからなる通気性ウエアであって、該ズボンが、ベルト芯の縫い付け部とズボン上部との間がメッシュ布帛で連結され、かつ該ベルト芯の縫い付け部とズボン上部を複数の布帛で連結してメッシュ布帛を補強するよう構成したことを特徴とする通気性ウエアである。
（３）上下に連結された少なくとも三枚の布片からなる通性性布帛であって、該上下に連結された布片の上段布片と下段布片とで重ね合せ部を設け、該下段布片の上端部を外側に折り返して雨水浸入防止用堰を形成し、該折り返し部と上段布片の端部を連結手段で連結して、該折り返し部と上段布片との間に第１の通気口、該上段布片の端部と下段布片との間に第２の通気口を設けるとともに、該上段布片の端部と、該重ね合せ部の該折返し部よりも下方となる位置の下段布片を接続手段で接続して上段布片の捲き上りを防止するよう構成したことを特徴とする通気性布帛である。
【手続補正６】
【補正対象書類名】明細書
【補正対象項目名】０００７
【補正方法】変更
【補正の内容】
【０００７】本発明は以下上衣の袖口について説明するが、通気性布片とズボンの裾口は上衣の袖口と同様な構造であり、効果も同じであるため通気性布片と裾口についての説明は省略する。
本発明の第一の特徴は、通気性ウエアの上衣の袖口が内部袖と外部袖の二重構造で、該外部袖の袖口内に、端部を外側に折り返した内部袖が挿入され、該内部袖の折返し部と外部袖の袖口を連結手段で連結して、該外部袖と内部袖の折返し部との間に第一の通気口、該外部袖の袖口と内部袖との間に第二の通気口を設けたことである。かかる特徴により、第二の通気口が拡大すると連結手段により雨水浸入防止用のＶ字状堰を構成する折り返し角度が拡大し、雨滴が堰を越して第一の通気口から袖の内部への浸入が防止できる。また、Ｖ字状堰の角度の拡大に比例して、堰と外部袖で形成される第一の通気口の幅が狭められるため、大きく開かれた第二の通気口から進入する強風は、狭くなった第一の通気口が抵抗となって袖の内部への浸入を少なくすることができ、風雨の強度に関係なく、第一の通気口を通過する通気量を一定量に調節できる。また、強風時に大量の空気が袖口の内部に浸入して、ウエア着用者の腕を冷やすことも防止できる。また連結部材により袖口の型崩れが防止できるという効果を奏している。更に、上衣に通気口、例えば脇に通気用の複数の開孔を設けるとベンチュレーション効果によって、袖口から内部に導入された外気が、内部に蓄積する体熱や湿気を同伴して脇に設けられた複数の開孔から外部に排出されるため梅雨時の運動や作業時にウエアを着用しても腕部のむれが生じにくく、発汗を遅らせることができる。
本発明の第二の特徴は、強風時に外部袖が捲き上って袖口の内部に外気が大量に侵入することを防止するため、該外部袖の袖口と、内部袖と外部袖の重ね合わせ部で、かつ該折り返し部よりも下方となる位置の内部袖との間を接続手段、例えば細幅の布帛で接続したことである。かかる特徴により強風時の外部袖の捲き上りが防止できる。
【手続補正７】
【補正対象書類名】明細書
【補正対象項目名】００１５
【補正方法】変更
【補正の内容】
【００１５】図４は本発明の通気性布片の説明図であり、通気性布片の上段重ね合せ部Ｓと下段重ね合せ部Ｓの構造を示している。次に図４を用いて、図１に示す右前身頃ｂのＴ−Ｔ断面構造を説明する。右前身頃ｂを構成する上段布片４の下部が中間段布片５の上部に重ね合され、重ね合わせ部Ｓが設けられ、該重ね合わせ部Ｓの端部に下向きに開口する上部第二の通気口２０が設けられている。また中間段布片５の下部が下段布片６の上部に重ね合されて重ね合わせ部Ｓが設けられ、該重ね合わせ部Ｓの端部に下部第二の通気口２１が設けられている。３１は通気性のウエア内部全体に設けられたメッシュ布帛である。中間段布片５の上端は外側に折り返されてＶ字状の堰４０を形成している。該折り返し部４１の長さは１〜５ｃｍ、通常２〜３ｃｍが適当である。１ｃｍ未満では、堰で止められた雨滴が堰を越えて第一の通気口から内部に進入する恐れがある。５ｃｍを超えると堰を形成する折り返し部が変形して雨滴の通路が形成される恐れがある。
折り返しは単層であっても複層であっても良い。複数層の場合は、重合する複数の折目の近傍を縫製してＶ字状の堰を一体化する必要がある。複層の場合は折り返し部の長さが短くても確実に風雨の進入が防止でき好適である。また数ｍｍの厚い布帛等を挟み込んで折り返すと布帛の付着が防止でき、常時Ｖ字状堰が形成されるため好ましい。
【手続補正８】
【補正対象書類名】明細書
【補正対象項目名】００２０
【補正方法】変更
【補正の内容】
【００２０】該折り返し部と上段布片の端部を連結手段で連結したことで、風雨の強い時に上段布片４のめくり上がりが防止できるが、突風等で第二の通気口２２が大きく拡大する恐れがある。第二の通気口が拡大すると第一の通気口１０３も拡大する。第一の通気口１０３の拡大を防止するため、図７に示すように上段布片４の端部と、該重ね合せ部の下端から上方、通常１〜５ｃｍ上方の下段布片５との間を接続手段、例えば細幅の布帛１０５などで接続すると第二の通気口２２の拡大が防止できる。また、スポット縫製やピンなどで接続してもよい。細幅の布帛としては通常厚み１〜５ｍｍ、長さ１〜５ｃｍの布片が使用される。接続間隔は上段布片４がめくり上がらない間隔であればよい。通常少なくとも３ｃｍ間隔で配置される。通気性ウエアの着用時間が長くなるとウエア内部が汗で蒸れウエアが衣服に密着することがあるが、通気性ウエア内部全体に設けられたメッシュ状布帛３１で衣服と通気性ウエアとの間に隙間が形成されて、内部の蒸れによるウエアの衣服への密着が防止される。また上記メッシュ状布帛３１により上着を着用する時にスムーズに着用できるという利点がある。
【手続補正９】
【補正対象書類名】明細書
【補正対象項目名】００２３
【補正方法】変更
【補正の内容】
【００２３】図９は、上衣の袖口の一例を示す説明図であり、図１０は図９のＷ部詳細説明図である。外部袖１０と内部袖１１で形成される円筒状袖口の内部に、先端部を外側に折り返した折り返し部１０６を有する円筒状の内部袖口１０７を挿入し、該折り返し部１０６と外袖の端部の間を通気性の連結手段、例えば三次元立体織物１０９で連結して雨水浸入防止用堰を形成している。該折り返し部の長さは通常１０ｍｍ以上、１５〜２５ｍｍが好ましい。また外部袖の端部と外部重ね合わせ部を連結手段では所定の間隔で連結すると、第二の通気口の拡大が防止できる。連結方法は公知の方法が採用される。例えば図７に示すように外部袖の端部と、該重ね合せ部の下端から上方、通常１〜５ｃｍ上方の内部袖との間を、例えば細幅の布帛などで連結してもよい。内部袖口１０７の先端には全周にリング状の空洞を設け、この空洞内にゴム又は細紐を挿入して、ウエア着用時に着用者の手首を締め付けるようにすると内部袖口からの雨滴の進入が確実に阻止できる。１１０は袖の内部に取り付けられたメッシュ布帛であり、内部袖１０７の先端折り返し部に縫い付けられている。１１２、１１３は縫付ラインである。内部袖口１０７の先端を面ファスナー１１４で着用者の手首を締め付けた状態を図１１に示す。袖口の先端部に面ファスナー１１４を使用した例は、例えば特開２００５−２１３６９６、特開２００１−２０７３１６、実開昭５３−８８３０９号、実開昭４９−６４１１６号に記載されている。面ファスナー１１４を使用すると内部袖口の先端部を手首に締め付ける作業が容易である。
図１２は袖口構造の他の例であり、外部袖１０と内部袖１１で形成される円筒状袖口の内部に、先端部を外側に折り返した折り返し部１０６を有する円筒状の内部袖口１０７を挿入し、該折り返し部１０６の端部を円筒状袖口の内面に縫い付けて雨水浸入防止用堰を形成している。該外部袖１０側の折り返し部１０６には通気用の多数の開孔１０８が設けられている。折り返し部の長さは６０ｍｍ以上、通常９０〜１００ｍｍが適当である。多数の開孔１０８は折り返し部１０６の全周の１／３の領域で、かつ該開孔から雨滴が内部に侵入しないような位置、例えば折り返し頂部から１０ｍｍ以上、通常５０ｍｍ離れた外部袖１０側に設けておけば、雨滴の袖口内部への進入が防止できる。通常直径２〜５ｍｍの多数の開孔がランダムに設けられている。開孔の代わりに、折り返し部１０６の頂部から１０ｍｍ以上離れ、かつ外袖１０側に内袖の全周囲の１／３の領域を切り取って開口を設け、該開口にメッシュ布帛や三次元立体織物を取り付けてもよい。
【手続補正１０】
【補正対象書類名】明細書
【補正対象項目名】００２７
【補正方法】変更
【補正の内容】
【００２７】該袖１２２の折り返し部には多数の開孔１２５が設けられている。該多数の開孔１２５は折り返し部１２３の全周の１／３の領域で、かつ袖１２２の上部側で、しかも開孔から雨滴が内部に侵入しないような位置、例えば折り返し頂部から１０ｍｍ以上、通常５０ｍｍ離れた位置に設けておけば、雨滴の半袖内への進入が防止できる。通常直径２〜５ｍｍの多数の開孔がランダムに設けられている。開孔の代わりに、折り返し部１２３上部の全周の１／３の領域を切り取り、その開口にメッシュ布帛を取り付けてもよい。
【手続補正１１】
【補正対象書類名】図面
【補正対象項目名】図９
【補正方法】変更
【補正の内容】
【図９】
2011094289.tif 000001
【手続補正１２】
【補正対象書類名】図面
【補正対象項目名】図１０
【補正方法】変更
【補正の内容】
【図１０】
2011094289.tif 000002